(57)【要約】【課題】  負荷を調整する手段を備えると共に、その手段が簡易な構成とされる水中運動装置の提供。【解決手段】  プールＰの壁Ｗに固定されるフレーム１と、このフレーム１に設けられる椅子３と、フレーム１に取り付けられたケース１３に回転可能に保持される一対のペダル５，５を備える。各ペダル５にはスライド可能に負荷部材７が設けられている。負荷部材７は、ペダル５に対して段階的に位置決め可能とされており、ペダル５からの突出量を変化させることで、ペダル５を踏む負荷が変化する。【選択図】      図３
2009056234.tif 000002
【特許請求の範囲】
【請求項１】
プールなどの水槽で使用される水中運動装置であって、
前記水槽に設けられるフレームと、
このフレームに設けられる椅子と、
前記フレームに回転可能に保持される一対のペダルとを備え、
このペダル、またはそれに取り付けられる負荷部材の大きさが変更可能とされた
ことを特徴とする水中運動装置。
【請求項２】
前記負荷部材は、前記ペダルにスライド可能に設けられる板状に形成されており、前記ペダルからの突出量を変更可能とされる
ことを特徴とする請求項１に記載の水中運動装置。
【請求項３】
前記負荷部材は、ペダルに対して段階的に突出量を変更可能とされる
ことを特徴とする請求項２に記載の水中運動装置。
【請求項４】
前記ペダルを踏む負荷が、前記負荷部材の突出量を変更することのみで調整される
ことを特徴とする請求項２または請求項３に記載の水中運動装置。
【請求項５】
前記フレームに、大きさの異なるペダルが着脱可能に設けられるか、前記ペダルに、大きさの異なる負荷部材が着脱可能に設けられる
ことを特徴とする請求項１に記載の水中運動装置。
【発明の詳細な説明】
【技術分野】
【０００１】
本発明は、運動する際に使用される装置であって、特に、少なくとも一部が水中に沈められて使用される運動装置に関するものである。
【背景技術】
【０００２】
周知のとおり、筋力強化やダイエットなどのために各種運動装置が使用されている。これらの運動装置は、ジムなどで使用されているが、高齢者や身体の不自由な方が使用する場合、負荷が大きすぎて使用し難いことがあった。
そこで、これらの方をも対象にした運動装置として、下記特許文献１に開示されるように、水中で使用される運動装置が提示されている。
水中で運動する場合、水の浮力が働くことで、過剰な負荷がかかることがなく、高齢者や身体の不自由な方でも無理なく運動することができる。
【特許文献１】実用新案登録第３０８４４７９号公報
【発明の開示】
【発明が解決しようとする課題】
【０００３】
しかしながら、前記特許文献１に示されるような従来の運動装置の場合、負荷を調整する手段が無かったり、負荷を調整する手段があってもその構成が複雑で、装置の製造や保守などに手間や時間を要していた。
【０００４】
本発明が解決しようとする課題は、負荷を調整する手段を備えると共に、その手段が簡易な構成とされる水中運動装置を提供することにある。
【課題を解決するための手段】
【０００５】
本発明は、前記課題を解決するためになされたものであり、請求項１に記載の発明は、プールなどの水槽で使用される水中運動装置であって、前記水槽に設けられるフレームと、このフレームに設けられる椅子と、前記フレームに回転可能に保持される一対のペダルとを備え、このペダル、またはそれに取り付けられる負荷部材の大きさが変更可能とされたことを特徴とする水中運動装置である。
【０００６】
請求項２に記載の発明は、前記負荷部材は、前記ペダルにスライド可能に設けられる板状に形成されており、前記ペダルからの突出量を変更可能とされることを特徴とする請求項１に記載の水中運動装置である。
【０００７】
請求項３に記載の発明は、前記負荷部材は、ペダルに対して段階的に突出量を変更可能とされることを特徴とする請求項２に記載の水中運動装置である。
【０００８】
請求項４に記載の発明は、前記ペダルを踏む負荷が、前記負荷部材の突出量を変更することのみで調整されることを特徴とする請求項２または請求項３に記載の水中運動装置である。
【０００９】
さらに、請求項５に記載の発明は、前記フレームに、大きさの異なるペダルが着脱可能に設けられるか、前記ペダルに、大きさの異なる負荷部材が着脱可能に設けられることを特徴とする請求項１に記載の水中運動装置である。
【発明の効果】
【００１０】
本発明の水中運動装置によれば、負荷を調整する手段を備えると共に、その手段が簡易な構成とされるので、製造や修理が容易になされる。
【発明を実施するための最良の形態】
【００１１】
以下、本発明の水中運動装置について、図面に基づき詳細に説明する。
【００１２】
図１は、本発明の水中運動装置の一実施例を示す側面図であり、プール内で使用されている状態を示しており、図２は、図１の水中運動装置の斜視図であり、図３は、図１の水中運動装置の平面図である。
【００１３】
本実施例の水中運動装置は、利用者が、プール内で椅子に座りペダルを踏んで運動する、いわゆる自転車運動を行うための装置である。
以下の説明においては、図１に示すように、利用者が椅子に座った状態において、利用者の前方を前側、後方を後側とする。つまり、図３の紙面における前後方向を前後方向とし、左右方向を左右方向とし、紙面に垂直な方向を上下方向とする。
【００１４】
本実施例の水中運動装置は、プールＰの壁Ｗに固定されるフレーム１と、このフレーム１に設けられる椅子３と、フレーム１に回転可能に保持される一対のペダル５，５と、各ペダル５に設けられる負荷部材７とを主要部に備える。
【００１５】
フレーム１は、プールＰの壁面Ｗ１の近傍に上下方向に沿って配置される支柱９と、この支柱９に取り付けられ、前側へ延出してプールＰの壁Ｗに固定される取付柱１１と、支柱９に取り付けられるケース１３とを備える。
【００１６】
支柱９は、金属製のパイプにより形成されており、その下端部には、金属製パイプからなる補助柱１５が支柱９に対して垂直に固定されている。本実施例では、補助柱１５は、その軸方向が左右方向に沿うように配置され、その長手方向中間部に支柱９の下端部が固定されて、支柱９と補助柱１５とは逆向き略Ｔ字形に連結されている。
【００１７】
この補助柱１５の両端部には、それぞれ車輪１７，１７が回転可能に取り付けられている。車輪１７は、その車軸が補助柱１５の軸方向に沿うように取り付けられている。
【００１８】
取付柱１１は、金属製のパイプにより形成されており、その一端部が支柱９に固定されて前側へプールサイドまで水平に延出している。本実施例では、取付柱１１の一端部は、支柱９に固定された第一固定具１９に取り付けられている。
【００１９】
第一固定具１９は、一対の矩形状のブロック体２１，２１を有している。
各ブロック体２１の一端面中央には、上下方向に沿って断面略半円形の縦溝２１ａが形成されている。このような構成により、各ブロック体２１の一端面同士が重ね合わされると、上下方向へ開口する円形の縦穴が現出する。そして、前側のブロック体２１の中央部には、前後方向に沿って円形の取付穴（不図示）が形成されている。
【００２０】
各ブロック体２１の縦溝２１ａに支柱９が配置され、ブロック体２１，２１同士がネジ２３により締め付けられることで、支柱９に第一固定具１９が固定される。
そして、第一固定具１９の前側のブロック体２１の取付穴に取付柱１１の後端部がはめ込まれネジでブロック体２１に固定されて、支柱９と取付柱１１とが連結される。
【００２１】
取付柱１１の前端部には、左右一対の脚部２５，２５が設けられている。
脚部２５は、金属製のパイプを湾曲して形成された略Ｌ字形の部材とされ、その一端部は、第二固定具２７を介して取付柱１１に固定されており、他端部には、アンカー２９が設けられている。
【００２２】
第二固定具２７は、一対の矩形状のブロック体３１，３１を有しており、各ブロック体３１の一端面中央に脚部２５の一端部が固定されている。
また、各ブロック体３１の他端面中央には、前後方向に沿って断面略半円形の横溝３１ａが形成されている。このような構成により、各ブロック体３１の他端面同士が重ね合わされると、前後方向へ開口する円形の横穴が現出する。
【００２３】
各ブロック体３１の横溝３１ａに取付柱１１が配置され、ブロック体３１，３１同士がネジ３３により締め付けられることで、取付柱１１に第二固定具２７が固定され、ひいては脚部２５が取付柱１１に固定される。
【００２４】
そして、脚部２５の他端部が、プールサイドの床面にアンカー２９で固定されて、取付柱１１がプールＰの壁Ｗに固定される。
【００２５】
本実施例では、車輪１７，１７がプールＰの底面Ｂおよび壁面Ｗ１に当接し、支柱９がプールＰの底面Ｂに対して垂直に配置されるように、取付柱１１がプールＰの壁Ｗに固定される。
なお、本実施例の水中運動装置は、第一固定具１９の支柱９に対する取付位置が変更可能であることから、第一固定具１９の取付位置を変更することで、プールＰの深さに対応することが可能である。
【００２６】
図４は、図１の水中運動装置の下部の概略縦断面図である。
【００２７】
ケース１３は、略矩形状の箱体とされ、支柱９の下部に固定されている。本実施例のケース１３は、左右に二分割可能とされ、その前端部の中央に支柱９を挟み込んだ状態で支柱９に固定されている。
また、ケース１３の左右両側面には、円形の貫通穴１３ａ，１３ａが同一直線上に形成されており、各貫通穴１３ａには円板状のプレート３７が回転可能にはめ込まれて設けられている。
【００２８】
ケース１３の内部には、円筒状の軸受部材３９が、軸方向を左右方向に配置した状態で保持されている。そして、この軸受部材３９の内穴に、丸棒状の回転軸４１が左右方向に沿って回転可能に差し込まれており、回転軸４１の両端部は軸受部材３９から突出している。
【００２９】
回転軸４１の両端部には、それぞれ接続部材４３が取り付けられている。
接続部材４３は、略Ｌ字形の部材とされ、長方形状の板状部４５と、この板状部４５の一端部に板状部４５に対して垂直に固定される丸棒状の棒状部４７とを有する。
【００３０】
回転軸４１の両端部に取り付けられる接続部材４３，４３は、板状部４５，４５同士が、平行に、かつ、長手方向が同一方向に沿うように配置されて、各板状部４５の長手方向中央が回転軸４１にネジ４９で固定される。
この際、各接続部材４３の棒状部４７が、回転軸４１の中心に対して点対称となる位置に取り付けられる。つまり、図３に示すように、各板状部４５が略水平に配置された状態で、一方の接続部材４３の板状部４５の前端部に棒状部４７が配置され、他方の接続部材４３の板状部４５の後端部に棒状部４７が配置されている。
【００３１】
このように、回転軸４１に取り付けられた各接続部材４３の棒状部４７は、プレート３７に形成された貫通穴３７ａを介してケース１３の外側へ突出している。
また、プレート３７を介して板状部４５にネジ５１がねじ込まれて、接続部材４３およびプレート３７は一体回転可能とされている。
【００３２】
本実施例では、各接続部材４３の棒状部４７に、ペダル５が回転可能にそれぞれ取り付けられ、各ペダル５に負荷部材７がスライド可能にそれぞれ取り付けられている。
【００３３】
図５から図８は、ペダルおよび負荷部材を示す図であり、図５は、分解斜視図であり、図６は、ペダルに対して負荷部材を最も押し込んだ状態を示す図であり、図７は、ペダルに対して負荷部材を半分程度引き出した状態を示す図であり、図８は、ペダルに対して負荷部材を最も引き出した状態を示す図である。なお、図５から図８では、右側のペダルのみが示されているが、左側のペダルも同様の構成である。
【００３４】
本実施例のペダル５は、矩形板状のベース５３の上側に、矩形板状のカバー５５が重ね合わされた構成とされる。カバー５５には、その前後方向中央部に左右方向に沿って円形の貫通穴５５ａが形成されている。
【００３５】
ベース５３の上面には、下方へ凹むと共に、左右方向外側へ開口する矩形状の凹部５７が形成されている。また、ベース５３の前後端部には、上方へ開口する左右方向に細長い溝５９，５９がそれぞれ形成されており、各溝５９の中央部は、凹部５７側へ開口している。この各溝５９には、係止部材６１が収容される。
【００３６】
本実施例の係止部材６１は、金属板を屈曲して形成された板バネとされている。
係止部材６１は、その中央部６１ａが平面視略等脚台形状に形成されており、両端部６１ｂ，６１ｂは、左右方向外側へそれぞれ延出して折り返されている。
係止部材６１は、その両端部６１ｂ，６１ｂがベース５３の溝５９内にはめ込まれて設けられ、中央部６１ａが溝５９の開口部５９ａを介して凹部５７内へ突出している。
【００３７】
本実施例では、ベース５３の凹部５７に負荷部材７が配置された状態で、ベース５３にカバー５５が固定される。負荷部材７は、ベース５３の凹部５７に対応した矩形状の板体とされ、左右方向に細長い２つの長穴６３，６３が前後に離隔して貫通形成されている。
【００３８】
また、負荷部材７の前後両端辺には、左右方向に等間隔に離間して、切欠き６５ａ，６５ｂ，６５ｃが３箇所それぞれ成されている。本実施例では、各切欠き６５ａ，６５ｂ，６５ｃは、前後方向外側へ行くに従って拡幅する台形状に形成されている。
さらに、負荷部材７の左右方向外側端辺の中央部には、左右方向外側へ突出して略矩形状の摘み部６７が一体に形成されている。なお、本実施例では、摘み部６７の外周縁が上方へ若干膨出して形成されている。
【００３９】
ベース５３の凹部５７内に負荷部材７が配置された状態でベース５３にカバー５５が重ね合わされ、カバー５５からベース５３にネジ６９，６９，７１，７１がねじ込まれてベース５３にカバー５５が固定される。この際、２本のネジ７１，７１が、それぞれ負荷部材７の各長穴６３に通される。
長穴６３にネジ７１が通されることで、負荷部材７をペダル５に対してスライドさせる際、負荷部材７がペダル５から脱落しないための抜け止めとなると共に、負荷部材７が左右方向に沿って移動するためのガイドの機能を果たす。
なお、図６に示すように、ペダル５に対して負荷部材７が最も押し込まれて収容された状態において、摘み部６７はペダル５から外側へ突出している。
【００４０】
また、負荷部材７がペダル５に取り付けられた状態において、各係止部材６１の中央部６１ａは、負荷部材７の前後両端辺に当接しており、負荷部材７の各切欠き６５ａ，６５ｂ，６５ｃに突入することで、負荷部材７の移動を規制する。
具体的には、係止部材６１は、負荷部材７がペダル５に最も押し込まれた状態、半分引き出された状態、および最も引き出された状態において、負荷部材７の各切欠き６５ａ，６５ｂ，６５ｃに突入して負荷部材７の移動を規制する。
【００４１】
本実施例では、負荷部材７の切欠き６５ａ，６５ｂ，６５ｃの左右両端辺が傾斜していることで、摘み部６７を把持して負荷部材７をペダル５に対して引き出したり、または押し込んだりすると、係止部材６１の中央部６１ａが弾性変形して押し込まれ、係止部材６１の中央部６１ａが切欠き６５ａ，６５ｂ，６５ｃから脱出し、負荷部材７をスライドさせることが可能とされる。
【００４２】
負荷部材７が設けられたペダル５は、カバー５５の貫通穴５５ａに接続部材４３の棒状部４７が通され、棒状部４７の先端部にネジ７３がねじ込まれて、接続部材４３に回転可能に保持される。
本実施例では、カバー５５の左右両側面同士を架け渡すように、下方へ開口する略Ｕ字形の足掛部材７５が設けられており、この足掛部材７５の両端部にも棒状部４７が通される。
【００４３】
支柱９には、矩形板状の保持部材７７を介して取付部材７９が取り付けられており、この取付部材７９に椅子３が設けられている。保持部材７７は、その前端部が支柱９に固定されてケース１３内に略水平に配置されている。
取付部材７９は、パイプを湾曲して形成された略Ｕ字形の部材とされ、湾曲部を下方へ向けた状態で、その一端部が保持部材７７の後端部にネジで固定されている。
本実施例では、取付部材７９の他端部は、一端部より上方に配置されており、この他端部に椅子３が取り付けられている。
【００４４】
椅子３は、略Ｌ字形状とされ、略水平に配置される座部３ａと、この座部３ａの後側から上方へ延出する立上り部３ｂとを有する。
なお、取付部材７９の湾曲部には、円筒状のゴム製の緩衝部材８１が通されており、この緩衝部材８１がプールＰの底面Ｂに接地して使用される。これにより、プールＰの底面Ｂを傷つけることがない。
【００４５】
また、支柱９には、ハンドル８３が固定されている。ハンドル８３は、二本の金属製のパイプ８５，８７により形成された略Ｔ字形とされる。
本実施例では、一方のパイプ８５の前端部が支柱９に固定される第三固定具８９に接続されて、略水平に支柱９に固定される。
【００４６】
第三固定具８９は、一対の矩形状のブロック体９１，９１を有している。
各ブロック体９１の一端面中央には、上下方向に沿って断面略半円形の縦溝９１ａが形成されており、この縦溝９１ａの略中央部から後側へ向けて断面略半円形の横溝９１ｂが形成されている。つまり、各ブロック体９１には横向きＴ字状の溝が形成されている。
このような構成により、各ブロック体９１の一端面同士が重ね合わされると、上下方向へ開口する円形の縦穴が現出すると共に、後側へ開口する円形の横穴が現出する。
【００４７】
本実施例では、各ブロック体９１の縦溝９１ａに支柱９が配置され、横溝９１ｂにハンドル８３のパイプ８５の前端部が配置されてブロック体９１，９１同士がネジ９３により締め付けられることで、支柱９にパイプ８５が固定される。
そして、この一方のパイプ８５の後端部が、他方のパイプ８７の長手方向中央部に固定されてハンドル８３が構成されている。なお、パイプ８７は、軸方向を左右方向に配置した状態で、パイプ８５に固定されている。また、パイプ８５，８７には、ゴムなどで形成された円筒状のグリップが設けられている。本実施例では、第三固定具８９が、支柱９に対して着脱可能であることから、第三固定具８９の取付位置を変更することで、利用者に適したハンドル８３の高さ位置とすることができる。
【００４８】
本実施例の水中運動装置は、ケース１３の左右両側にペダル５，５がそれぞれ配置されており、各ペダル５には負荷部材７がスライド可能にそれぞれ設けられている。また、負荷部材７は、係止部材６１が負荷部材７の切欠き６５ａ，６５ｂ，６５ｃに突入することで、ペダル５に対して段階的に位置決め可能とされている。
【００４９】
このような構成の本実施例の水中運動装置を使用する場合、利用者は、椅子３に座り、各ペダル５に足を載せる。なお、利用者が椅子３に座った状態では、利用者の顔は水面より上方にあり、呼吸は通常と同様にできる。
【００５０】
そして、利用者は、自分に合った負荷とするために、摘み部６７を摘んで負荷部材７をペダル５に対してスライドさせて負荷部材７を位置決めする。
本実施例では、負荷部材７の切欠き６５ａ，６５ｂ，６５ｃに係止部材６１が突入する３箇所において負荷部材７の位置決めが可能である。具体的には、図６に示す負荷部材７が最も押し込まれた状態、図７に示す負荷部材７が半分程度引き出された状態、および図８に示す負荷部材７が最も引き出された状態の３つのうちから選択することになる。
そして、自転車を漕ぐのと同様にペダル５，５を踏むことで、ペダル５，５が水中で回転し、負荷部材７，７はペダル５，５の回転に伴って水を掻きながら回転する。
【００５１】
図６から図８に示す負荷部材７のペダル５からの突出量に応じて、水との接触面積が変化することで、ペダル５を踏むための負荷が異なる。つまり、負荷部材７をペダル５に対して最も押し込んだ図６の状態が負荷が最も小さく、負荷部材７をペダル５に対して最も引き出した図８の状態が負荷が最も大きくなる。
なお、足掛部材７５とカバー５５の上面との間に足を挿入することで、ペダル５をスムーズに踏むことができる。
【００５２】
このように、本実施例の水中運動装置によれば、各個人の体力などに応じて、負荷を調整することが可能である。しかも、負荷の調整は、ペダル５に設けられた負荷部材７をスライドさせて調整するだけですみ、その調整は容易である。また、ペダル５や負荷部材７の構成は簡易であり、補修や修理なども容易である。さらに、本実施例の水中運動装置は、負荷部材７でのみ負荷の調整が可能とされていることで、装置の構成が簡易とされる。
【００５３】
なお、本実施例の水中運動装置には、車輪１７，１７が取り付けられていることで、装置の取り外し、移動および設置が容易である。本実施例の水中運動装置をプールＰから取り外す場合、第二固定具２７から取付柱１１の前端部を取り外して、取付柱１１と脚部２５を分離する。そして、支柱９や取付柱１１を把持してプールＰから装置を引き揚げる。この際、車輪１７，１７がプールＰの壁面Ｗ１に沿って回転することで引き揚げが容易である。そして、引き揚げ後は、車輪１７が設けられていることで装置を引っ張って移動することができる。
【００５４】
ところで、図８に示すように、ペダル５に対して負荷部材７を最も引き出した状態における負荷よりさらに大きい負荷を利用者が希望する場合、ペダル５に第二負荷部材９５を取り付けることが可能である。
【００５５】
図９は、ペダルに第二負荷部材を取り付けた状態を示す図である。
【００５６】
第二負荷部材９５は、ペダル５より大きい矩形状の板体とされ、ペダル５に着脱可能とされる。本実施例では、第二負荷部材９５は、ベース５３の下面に当接されてネジ（不図示）でベース５３に固定される。この際、第二負荷部材９５は、その左右方向内側端面と、ベース５３の左右方向内側端面とが面一となるように配置され、その前後端部９５ａ，９５ｂがペダル５から突出し、左右方向外側端部９５ｃがペダル５から突出して配置される。
本実施例では、第二負荷部材９５の左右方向外側端部９５ｃは、負荷部材７が最も引き出された状態における負荷部材７の左右方向外側端部とほぼ同じ位置に配置されている。
【００５７】
このように、第二負荷部材９５をペダル５に取り付けることで、ペダル５に対して負荷部材７を最も引き出した状態に比べてさらに水に接触する面積が増え、ペダル５を踏む際の負荷が大きくなる。
なお、大きさの異なる第二負荷部材９５を複数用意することで、利用者の所望する負荷とすることができる。
【００５８】
本発明の水中運動装置は、上記実施例の構成に限らず、適宜変更可能である。
たとえば、上記実施例では、負荷部材は、ペダルに対して３段階の位置決めが可能であったが、２段階または４段階以上としてもよい。また、負荷部材をペダルに対して段階的ではなく、無段階で位置決め可能としてもよい。
【００５９】
また、上記実施例では、負荷部材および第二負荷部材により負荷を調整したが、ペダル５自体を交換することで、負荷の調整を行うようにしてもよい。
さらに、負荷部材７が設けられていないペダル５に、大きさの異なる第二負荷部材９５を交換可能に取り付けて、負荷を調整するようにしても構わない。
また、上記実施例では、負荷部材は、左右方向に沿ってスライド可能にペダルに設けられたが、上下方向または前後方向にスライド可能にペダルに設けられてもよい。
さらに、椅子は、高さ位置や前後方向の位置が変更可能であってもよい。
【図面の簡単な説明】
【００６０】
【図１】本発明の水中運動装置の一実施例を示す側面図であり、プール内で使用されている状態を示している。
【図２】図１の水中運動装置の斜視図である。
【図３】図１の水中運動装置の平面図である。
【図４】図１の水中運動装置の下部の概略縦断面図である。
【図５】ペダルおよび負荷部材を示す分解斜視図である。
【図６】ペダルに対して負荷部材を最も押し込んだ状態を示す図である。
【図７】ペダルに対して負荷部材を半分程度引き出した状態を示す図である。
【図８】ペダルに対して負荷部材を最も引き出した状態を示す図である。
【図９】ペダルに第二負荷部材を取り付けた状態を示す図である。
【符号の説明】
【００６１】
１  フレーム
３  椅子
５  ペダル
７  負荷部材
９  支柱
１３  ケース
【図１】
2009056234.tif 000003
【図２】
2009056234.tif 000004
【図３】
2009056234.tif 000005
【図４】
2009056234.tif 000006
【図５】
2009056234.tif 000007
【図６】
2009056234.tif 000008
【図７】
2009056234.tif 000009
【図８】
2009056234.tif 000010
【図９】
2009056234.tif 000011